(57)【要約】【課題】移動可能な回路基板のＧＮＤ接続と小型化を可能とするＧＮＤ接続構造、およびＧＮＤ接続構造を備えた電子機器、プロジェクターを提供する。【解決手段】ＧＮＤ接続構造は、本体基板３０と、本体基板３０とＧＮＤ接続される本体側板金部材４０とを収容する本体側筐体２０と、コネクト基板６０と、コネクト基板６０とＧＮＤ接続される移動側板金部材７０とを収容する移動側筐体５０と、を備え、本体側筐体２０は、移動側筐体５０を収容位置と送出位置とに移動可能に保持し、移動側板金部材７０は、少なくとも移動側筐体５０が送出位置に移動した場合、本体側板金部材４０とＧＮＤ接続される。また、移動側板金部材７０と本体側板金部材４０とは、バネ接触によりＧＮＤ接続される。【選択図】図４
2014022536.tif 000002
【特許請求の範囲】
【請求項１】
第１基板と、当該第１基板とＧＮＤ接続される第１板金部材とを収容する第１筐体と、
第２基板と、当該第２基板とＧＮＤ接続される第２板金部材とを収容する第２筐体と、を備え、
前記第１筐体は、前記第２筐体を収容位置と送出位置とに移動可能に保持し、
前記第２板金部材は、少なくとも前記第２筐体が前記送出位置に移動した場合、前記第１板金部材とＧＮＤ接続されることを特徴とするＧＮＤ接続構造。
【請求項２】
請求項１に記載のＧＮＤ接続構造であって、
前記第２板金部材と前記第１板金部材とは、バネ接触により前記ＧＮＤ接続されることを特徴とするＧＮＤ接続構造。
【請求項３】
請求項１または請求項２に記載のＧＮＤ接続構造であって、
前記第１基板と前記第２基板との間には第３基板を備え、
前記第３基板は、前記第１筐体に収容されると共に、前記第１板金部材とＧＮＤ接続され、
前記第２基板と前記第３基板とは、フレキシブルフラットケーブルで接続され、
前記第３基板と前記第１基板とは、フレキシブルフラットケーブルで接続されると共に、フラットケーブルで接続されていることを特徴とするＧＮＤ接続構造。
【請求項４】
請求項１〜請求項３のいずれか一項に記載のＧＮＤ接続構造を備えることを特徴とする電子機器。
【請求項５】
請求項１〜請求項３のいずれか一項に記載のＧＮＤ接続構造と、
光束を射出する光源装置と、
前記光源装置から射出された前記光束を画像信号に基づいて変調する光変調装置と、を備えることを特徴とするプロジェクター。
【発明の詳細な説明】
【技術分野】
【０００１】
本発明は、ＧＮＤ接続構造、およびＧＮＤ接続構造を備えた電子機器、プロジェクターに関する。
【背景技術】
【０００２】
近年、携帯型のメディアプレーヤーをスピーカー装置等に接続し、メディアプレーヤー内部に格納されている音声データを、増幅した音声として出力させて使用すること等が行われている。
【０００３】
特許文献１では、携帯型のメディアプレーヤーをプロジェクターに構成される接続部に接続し、メディアプレーヤー内部に格納されている画像情報をプロジェクターからスクリーン等に画像として拡大投写させ、また、メディアプレーヤー内部に格納されている音声情報をプロジェクターに付属するスピーカーから音声として出力させること等が開示されている。
【０００４】
なお、特許文献１の構成では、メディアプレーヤーと電気的に接続するコネクターは、プロジェクター本体の所定の場所に設置されており、プロジェクター本体内部に設置されるメイン回路基板や別の回路基板にコネクターを実装することができる。そして、プロジェクター本体内部に設置される金属板に、メイン回路基板や別の回路基板のＧＮＤ端子を接続させることができる。
【０００５】
ＧＮＤ接続方法として、特許文献２では、対向配置される一対のプリント基板間に金属板を備え、プリント基板の各々に設けたＧＮＤ接続ばね端子を金属板の任意の位置で接続する方法が開示されている。
【先行技術文献】
【特許文献】
【０００６】
【特許文献１】米国特許第７５９９１７７号明細書
【特許文献２】特開２００８−２８１０６号公報
【発明の概要】
【発明が解決しようとする課題】
【０００７】
しかし、メディアプレーヤーを接続するコネクター（コネクターを実装する回路基板）が別の筐体内に設置され、この別筐体が、電子機器本体（例えば、プロジェクター本体）に対して出し入れ可能（移動可能）に保持されると共に、プロジェクター本体内部のメイン回路基板と電気的に接続される構成の場合、ＧＮＤ接続方法が課題となる。詳細には、移動可能な別筐体の内部に固定される回路基板のＧＮＤ端子を、メイン回路基板がＧＮＤ接続される金属板に接続させる方法（構造）が課題となる。なお、移動可能な回路基板のＧＮＤ端子と、メイン回路基板がＧＮＤ接続される金属板とが接続されない場合、メディアプレーヤーをコネクターに接続して使用する際に、ノイズの影響により、音声や投写画像の品質を低下させる等の不具合が生じる。また、このような電子機器において、メディアプレーヤーを接続するための移動可能な別筐体は、デザイン上、小型化が望まれるため、別筐体内部に設置される回路基板の小型化を図ることも課題となる。
従って、移動可能な回路基板のＧＮＤ接続と小型化を可能とするＧＮＤ接続構造、およびＧＮＤ接続構造を備えた電子機器、プロジェクターが要望されていた。
【課題を解決するための手段】
【０００８】
本発明は、上述した課題の少なくとも一部を解決するためになされたものであり、以下の適用例として実現することが可能である。
【０００９】
［適用例１］本適用例に係るＧＮＤ接続構造は、第１基板と、第１基板とＧＮＤ接続される第１板金部材とを収容する第１筐体と、第２基板と、第２基板とＧＮＤ接続される第２板金部材とを収容する第２筐体と、を備え、第１筐体は、第２筐体を収容位置と送出位置とに移動可能に保持し、第２板金部材は、少なくとも第２筐体が送出位置に移動した場合、第１板金部材とＧＮＤ接続されることを特徴とする。
【００１０】
このようなＧＮＤ接続構造によれば、第１筐体に、第１基板と、第１基板とＧＮＤ接続される第１板金部材とを収容する。そして、第１筐体は、第２筐体を収容位置と送出位置とに移動可能に保持する。また、第２筐体に、第２基板と、第２基板とＧＮＤ接続される第２板金部材とを収容する。そして、第２板金部材は、少なくとも第２筐体が送出位置に移動した場合、第１板金部材とＧＮＤ接続される。このＧＮＤ接続構造により、移動可能な第２基板のＧＮＤが第２板金部材と接続されると共に、第２板金部材と第１板金部材とがＧＮＤ接続されることにより、第２基板を第１板金部材にＧＮＤ接続させることができる。従って、移動可能な第２基板を第２板金部材および第１板金部材とＧＮＤ接続させることができるため、ノイズの影響を低減させることができる。
【００１１】
［適用例２］上記適用例に係るＧＮＤ接続構造において、第２板金部材と第１板金部材とは、バネ接触によりＧＮＤ接続されることが好ましい。
【００１２】
このようなＧＮＤ接続構造によれば、第２板金部材と第１板金部材とは、バネ接触によりＧＮＤ接続される構造により、第２板金部材が第１板金部材に対して移動しても、確実にＧＮＤ接続させることができる。
【００１３】
［適用例３］上記適用例に係るＧＮＤ接続構造において、第１基板と第２基板との間には第３基板を備え、第３基板は、第１筐体に収容されると共に、第１板金部材とＧＮＤ接続され、第２基板と第３基板とは、フレキシブルフラットケーブルで接続され、第３基板と第１基板とは、フレキシブルフラットケーブルで接続されると共に、フラットケーブルで接続されていることが好ましい。
【００１４】
このようなＧＮＤ接続構造によれば、第３基板を備え、第３基板は、第１筐体に収容され、第１板金部材とＧＮＤ接続される。また、第２基板と第３基板とは、フレキシブルフラットケーブルで接続されるため、第２基板の信号線を第３基板と接続させることができ、また、第２基板を移動可能に接続させることができる。また、第３基板と第１基板とは、フレキシブルフラットケーブルで接続されると共に、フラットケーブルで接続されるため、信号線等はフレキシブルフラットケーブルで接続させ、電源ライン等はフラットケーブルで接続させることができる。従って、第２基板と第１基板とが電気的に接続される場合、第３基板を介すると共に、上述したケーブルにより互いに接続されることにより、第２基板を移動可能に接続することができると共に、第２基板を小型化することができる。
【００１５】
［適用例４］本適用例に係る電子機器は、上述したいずれかのＧＮＤ接続構造を備えることを特徴とする。
【００１６】
このような電子機器によれば、移動可能な第２基板と、第１板金部材とのＧＮＤ接続を確実にとることができるため、ノイズの影響を受けづらい、また、ノイズの影響を外部に与えない電子機器を実現できる。
【００１７】
［適用例５］本適用例に係るプロジェクターは、上述したいずれかのＧＮＤ接続構造と、光束を射出する光源装置と、光源装置から射出された光束を画像信号に基づいて変調する光変調装置と、を備えることを特徴とする。
【００１８】
このようなプロジェクターによれば、移動可能な第２基板のＧＮＤ接続を確実に行えるため、ノイズの影響を受けづらく、例えば、第２基板にコネクターを介してメディアプレーヤーを接続して使用した場合、音声や投写画像の品質を低下させることのないプロジェクターを実現できる。
【図面の簡単な説明】
【００１９】
【図１】実施形態に係るプロジェクターの機能ブロック図。
【図２】プロジェクターの移動部にメディアプレーヤーを設置した状態を示す概斜視図。
【図３】プロジェクターの概側方断面図であり、（ａ）は移動部が本体部の内部に挿入された状態を示す図、（ｂ）は移動部が本体部の内部から送り出された状態を示すと共に、メディアプレーヤーをコネクト部に接続した状態を示す図。
【図４】収容位置と送出位置でのＧＮＤ接続状態を模式的に示す側面図であり、（ａ）は収容位置でのＧＮＤ接続状態を示す図、（ｂ）は送出位置でのＧＮＤ接続状態を示す図。
【発明を実施するための形態】
【００２０】
以下、実施形態を図面に基づいて説明する。
（実施形態）
【００２１】
図１は、実施形態に係るプロジェクター１の機能ブロック図である。図１を参照して、プロジェクター１の構成と動作を説明する。
【００２２】
プロジェクター１は、コネクト部１０、操作パネル１１、操作信号処理部１２、制御部１３、外部機器コネクト部１４、入力選択部１５、画像音声信号処理部１６、液晶ライトバルブ駆動部１７、光学ユニット１８、音声出力部１９等を備えている。なお、光学ユニット１８は、光源装置１８１、液晶ライトバルブ１８２、投写レンズ部１８３等を有して構成される。
【００２３】
コネクト部１０は、後述するスライド移動を行う移動部３（図２参照）に設置され、携帯型のメディアプレーヤー１００が接続される。また、外部機器コネクト部１４は、各種のコネクター（図示省略）を有しており、ＰＣ（パーソナルコンピューター）、ビデオテープレコーダー、ＤＶＤ（Digital Versatile Disk）プレーヤー等の外部接続機器（図示省略）を接続することができる。
【００２４】
操作パネル１１は、プロジェクター１の外装を構成する第１筐体としての本体側筐体２０（図２参照）の外面に設けられ、ユーザーの操作入力を受け付けるためのものである。ユーザーが操作パネル１１に配置されたキースイッチを押下すると、それに対応した操作信号が操作信号処理部１２に出力される。操作信号処理部１２は、操作パネル１１が出力した操作信号を受け取り、デジタル信号に変換する等の処理を施して、制御部１３に出力する。
【００２５】
制御部１３は、入力選択部１５、画像音声信号処理部１６、光学ユニット１８（光源装置１８１）等の動作、及びメディアプレーヤー１００の一部の動作を制御する。制御部１３は、マイコンやＣＰＵ（Central Processing Unit）の演算装置と、その動作を規定する制御プログラムで構成される。
【００２６】
入力選択部１５は、制御部１３からの信号により、プロジェクター１に接続する（画像音声信号処理部１６に画像信号や音声信号を入力させる）外部機器（メディアプレーヤー１００並びにいずれかの外部接続機器）を切換える。
【００２７】
ここで、制御部１３からの信号により、入力選択部１５がメディアプレーヤー１００を選択した場合を例にして、以降の構成部の説明を行う。
【００２８】
入力選択部１５により選択されたメディアプレーヤー１００は、メディアプレーヤー１００内部に格納されている画像情報と音声情報を、画像信号と音声信号としてコネクト部１０を介して出力する。出力された画像信号と音声信号は、画像音声信号処理部１６に入力する。
【００２９】
画像音声信号処理部１６は、メディアプレーヤー１００が出力する画像信号を受け取り、制御部１３の指示に基づき、入力した画像信号を出力画像信号として生成し、液晶ライトバルブ駆動部１７に出力する。また、画像音声信号処理部１６は、メディアプレーヤー１００が出力する音声信号を受け取り、制御部１３の指示に基づき、入力した音声信号を出力音声信号として生成し、音声出力部１９に出力する。
【００３０】
光源装置１８１は、スクリーン（図示省略）等に画像を投写するための光の供給部であり、液晶ライトバルブ１８２に向けて光を射出する。光源装置１８１は、本実施形態では、放電式ランプを用いている。なお、光源装置１８１は、放電式ランプの他、レーザーダイオード、ＬＥＤ（Light Emitting Diode）、有機ＥＬ（Electro Luminescence）素子、シリコン発光素子等の各種固体発光素子等を用いて構成することができる。
【００３１】
液晶ライトバルブ駆動部１７は、画像音声信号処理部１６が出力する出力画像信号に基づき、液晶ライトバルブ１８２を駆動する。液晶ライトバルブ１８２は、複数の画素（図示省略）がマトリクス状に形成されており、液晶ライトバルブ駆動部１７により各画素の透過率が調整されることで、光源装置１８１から射出された光を変調し、投写レンズ部１８３に向けて射出する。なお、光変調装置としての液晶ライトバルブ１８２は、本実施形態では、透過型の液晶パネルを採用している。しかし、これに限られず、反射型の液晶パネルを採用してもよい。
【００３２】
液晶ライトバルブ１８２から射出された光は、投写レンズ部１８３によってスクリーン上に拡大投写される。投写レンズ部１８３には、投写光の焦点を変更可能なフォーカス機構（図示省略）と、投写光の拡大率を変更可能なズーム機構（図示省略）とが備えられている。
【００３３】
音声出力部１９は、スピーカー等で構成され、画像音声信号処理部１６が出力する出力音声信号に基づき、音声出力を行う。
【００３４】
図２は、プロジェクター１の移動部３にメディアプレーヤー１００を設置した状態を示す概斜視図である。図３は、プロジェクター１の概側方断面図であり、図３（ａ）は、移動部３が本体部２の内部に挿入された状態を示す図であり、図３（ｂ）は、移動部３が本体部２の内部から送り出された状態を示すと共に、メディアプレーヤー１００をコネクト部１０に接続した状態を示す図である。なお、図３（ｂ）は、メディアプレーヤー１００を使用する状態を示す図である。図２、図３を参照して、プロジェクター１の外観的な構成と、移動部３の概略の動作を説明する。
【００３５】
本実施形態のプロジェクター１は、図２に示すように、大略、本体部２と移動部３とで構成される。移動部３は、本体部２に対して移動可能に保持される。また、移動部３は、携帯型のメディアプレーヤー１００が接続され、メディアプレーヤー１００に格納される画像情報や音声情報を本体部２に入力させる部分である。本体部２は、移動部３から入力された画像情報や音声情報に基づき、画像を投写レンズ２３から投写させ、音声をスピーカー２２から出力させる部分である。
【００３６】
なお、本実施形態のプロジェクター１において、移動部３に接続したメディアプレーヤー１００内部に格納される情報に対して、メディアプレーヤー１００のキー１０３の操作や、プロジェクター１に設置される操作パネル１１での操作により、プロジェクター１内部と情報の伝達が可能となる。しかし、図示省略するリモコン（リモートコントローラー）等による操作でも、情報の伝達が可能であってもよい。
【００３７】
図２に示すように、プロジェクター１の本体部２は、略６面体の箱型形状に形成される第１筐体としての本体側筐体２０で囲まれた構成となっている。なお、本体側筐体２０の６面を、前面２０ａ、背面２０ｂ、右面２０ｃ、左面２０ｄ、上面２０ｅ、底面２０ｆとする。また、本体側筐体２０は、前面２０ａにおいて、傾斜面２０１ａと垂直面２０１ｂとの境を通る水平面で分割されて、上方向を構成する上ケース２１ａと、下方向を構成する下ケース２１ｂとで構成されている。
【００３８】
なお、本実施形態を説明する図面（図２及び以降で説明する図）は、説明の便宜上、ＸＹＺ直交座標系を用いて示す。詳細には、プロジェクター１において、背面２０ｂ側から前面２０ａ側の方向をＸ軸方向（＋Ｘ方向）とする。また、Ｘ軸方向に直交してプロジェクター１の左面２０ｄ側から右面２０ｃ側の方向をＹ軸方向（＋Ｙ方向）、Ｘ軸方向およびＹ軸方向に直交する底面２０ｆ側から上面２０ｅ側の方向をＺ軸方向（＋Ｚ方向）とする。なお、＋Ｘ方向を前方向（−Ｘ方向を後方向）、＋Ｙ方向を右方向（−Ｙ方向を左方向）、＋Ｚ方向を上方向（−Ｚ方向を下方向）として、適宜使用する。
【００３９】
プロジェクター１は、本体側筐体２０の前面２０ａの下部となる垂直面２０１ｂの略中央に、移動部３を有している。移動部３は、上述したように、メディアプレーヤー１００を接続および載置するものであり、本体部２に対して移動可能に構成されている。
【００４０】
移動部３は、メディアプレーヤー１００を接続するコネクト部１０と、外装が箱型形状に形成されてコネクト部１０を内部に保持して囲む第２筐体としての移動側筐体５０を有して構成されている。コネクト部１０は、詳細は後述するが、第２基板としてのコネクト基板６０として構成される。コネクト基板６０には、メディアプレーヤー１００を接続するコネクター６５等が実装されている。
【００４１】
プロジェクター１は、本体部２（本体側筐体２０）に移動部３（移動側筐体５０）を保持させると共に、本体部２（本体側筐体２０）に対して移動部３（移動側筐体５０）を移動可能とさせるスライド機構部２５等を備えている。
【００４２】
プロジェクター１は、メディアプレーヤー１００が載置された左右方向の前面２０ａ（傾斜面２０１ａ）において、本体側筐体２０（上ケース２１ａ）内部に音声出力部１９を構成するスピーカー２２が設置され、メディアプレーヤー１００からの音声が出力される。また、プロジェクター１は、背面２０ｂにおいて、本体側筐体２０（上ケース２１ａ）内部に投写レンズ部１８３を構成する投写レンズ２３が設置され、メディアプレーヤー１００からの画像が投写される。
【００４３】
図３（ａ）に示すように、メディアプレーヤー１００を接続しない状態（移動部３を使用しない状態）では、移動部３は、本体部２の内部に挿入（収容）された状態となっている。以降、この状態を「収容状態」、この位置を「収容位置」と称して適宜使用する。また、図３（ｂ）に示すように、移動部３は、スライド機構部２５により、本体部２の内部から送出方向（＋Ｘ方向）に送り出される。以降、この状態を「送出状態」、この位置を「送出位置」と称して適宜使用する。
【００４４】
送出位置で、メディアプレーヤー１００を、コネクト部１０のコネクト基板６０（コネクター６５）に対して上方から接続することで、メディアプレーヤー１００とプロジェクター１とが電気的に接続されて使用可能な状態となる。本実施形態の移動部３は、本体部２に対して、収容状態と送出状態（収容位置と送出位置）との２つの状態（位置）をとることができる。
【００４５】
図３に示すように、本実施形態のコネクター６５は、移動部３の送出方向（＋Ｘ方向）に対して垂直方向（＋Ｚ方向）から前面２０ａ（傾斜面２０１ａ）側に所定の角度分、傾斜した状態で設置される。
【００４６】
なお、移動部３を収容位置から送出位置とさせるには、移動部３（移動側筐体５０）の先端を本体部２（本体側筐体２０）の方向（−Ｘ方向）に若干押すことにより、図示省略するラッチ部のロックが解除されて、スライド機構部２５を構成するラックとピニオンとが動作し、移動部３がスライドを開始して送出位置となる。
【００４７】
また、移動部３を送出位置から収容位置とさせるには、メディアプレーヤー１００をコネクター６５から取り外した後、移動部３（移動側筐体５０）の先端を本体部２（本体側筐体２０）の方向（−Ｘ方向）に押し、スライド機構部２５を動作させる。そして、移動部３がラッチ部でロックされるまで、移動部３を本体部２の内部に押し込むことで、収容位置となる。
【００４８】
図４は、収容位置と送出位置でのＧＮＤ接続状態を模式的に示す側面図であり、図４（ａ）は、収容位置でのＧＮＤ接続状態を示す図であり、図４（ｂ）は、送出位置でのＧＮＤ接続状態を示す図である。図４を参照し、ＧＮＤ接続構造を説明する。
【００４９】
本体部２（本体側筐体２０）の内部には、第１基板としての本体基板３０と、第１板金部材としての本体側板金部材４０が設置されている。また、本体部２の内部には、第３基板としての中継基板８０が設置されている。なお、本体基板３０は、水平に本体側筐体２０に固定（図示省略）され、中継基板８０は、垂直に本体側筐体２０に固定（図示省略）されている。また、本体側板金部材４０も本体側筐体２０に固定（図示省略）されている。本体側板金部材４０に関しては後述する。
【００５０】
移動可能な移動部３（移動側筐体５０）の内部には、前述した第２基板としてのコネクト基板６０と、第２板金部材としての移動側板金部材７０とが設置されている。なお、コネクト基板６０と移動側板金部材７０は、移動側筐体５０に固定（図示省略）されている。移動側板金部材７０に関しては後述する。
【００５１】
本体基板３０には、プロジェクター１の動作を統括制御する前述したマイコンやＣＰＵ等の演算装置等が実装されている。中継基板８０には、コネクト基板６０の電源ライン関連の部品等が実装されている。コネクト基板６０には、前述したように、メディアプレーヤー１００が接続されるコネクター６５等が実装されている。
【００５２】
本体基板３０と中継基板８０とは、信号線を接続するフレキシブルフラットケーブル９２（以降、ＦＦＣ９２という）と、電源ライン関連を接続するフラットケーブル９３（以降、ＦＣ９３という）との２つで接続されている。また、中継基板８０とコネクト基板６０とは、信号線を接続するフレキシブルフラットケーブル９１（以降、ＦＦＣ９１という）で接続されている。
【００５３】
ＦＦＣ９１，９２は、平板状の導体を複数本並べて被覆したリボン状の線材であり、屈曲性に優れる線材である。そのため、特に、ＦＦＣ９１を、本体側筐体２０に固定される中継基板８０と、移動側筐体５０に固定されて移動可能なコネクト基板６０との接続に使用している。また、ＦＣ９３は、被覆線を複数本並べた線材で、各被覆線は剛性があるため、ＦＦＣ９１，９２に比較して屈曲性に劣る。そのため、本体側筐体２０に固定される中継基板８０と本体基板３０との接続に使用している。
【００５４】
なお、本体基板３０と中継基板８０には、ＦＦＣ９２を接続するケーブル用コネクター３２，８２が実装される。詳細には、ケーブル用コネクター３２は、本体基板３０の上面に実装され、ケーブル用コネクター８２は、中継基板８０の前側面（＋Ｘ方向）に実装される。また、本体基板３０と中継基板８０には、ＦＣ９３を接続するケーブル用コネクター３３，８３が実装される。詳細には、ケーブル用コネクター３３は、本体基板３０の下面に実装され、ケーブル用コネクター８３は、中継基板８０の後側面（−Ｘ方向）に実装される。
【００５５】
コネクト基板６０と中継基板８０には、ＦＦＣ９１を接続するケーブル用コネクター６１，８１が実装される。詳細には、ケーブル用コネクター６１は、コネクト基板６０の下面に実装され、ケーブル用コネクター８１は、中継基板８０の前側面（＋Ｘ方向）に実装される。
【００５６】
ＦＦＣ９１は、ケーブル用コネクター６１に接続される場合、差込み方向が、ケーブル用コネクター８１に向かう方向とは逆方向となるように接続される。従って、ＦＦＣ９１は、ケーブル用コネクター６１，８１に接続された場合、ケーブル用コネクター６１側が折り返された形態となっている。これは、移動部３が本体部２に対して移動する際、コネクト基板６０と中継基板８０との距離を短くした状態で、ＦＦＣ９１が移動部３の移動に従動してストレス無しに移動（屈曲）可能とさせるためである。
【００５７】
本体側板金部材４０は、本体基板３０と中継基板８０の平面（水平方向）を略覆う広さを有し、本体基板３０と中継基板８０との下方向に、箱状に曲折された形状で、本体側筐体２０に設置されている。
【００５８】
また、本体側板金部材４０は、本体基板３０とＧＮＤ接続するための起立した腕部４１を複数備えている。腕部４１の先端部４１１は、本体基板３０に形成される図示省略するＧＮＤ用端子（ＧＮＤ用パターン）と、ネジ９５とにより挟持される。これにより、本体基板３０は、本体側板金部材４０とＧＮＤ接続される。なお、ＧＮＤ用パターン部には、半田が塗布されている。
【００５９】
また、本体側板金部材４０は、中継基板８０とＧＮＤ接続するための起立した腕部４２を複数備えている。腕部４２の先端部４２１は、中継基板８０に形成される図示省略するＧＮＤ用端子（ＧＮＤ用パターン）と、ネジ９６とにより挟持される。これにより、中継基板８０は、本体側板金部材４０とＧＮＤ接続される。
【００６０】
移動側板金部材７０は、コネクト基板６０の平面（水平方向）を略覆う広さを有し、コネクト基板６０の下方向に、箱状に曲折された形状で移動側筐体５０に設置されている。そして、移動側板金部材７０は、コネクト基板６０とＧＮＤ接続するための起立した腕部７１を複数備えている。腕部７１の先端部７１１は、コネクト基板６０に形成される図示省略するＧＮＤ用端子（ＧＮＤ用パターン）と、図示省略するネジとにより挟持される。これにより、コネクト基板６０は、移動側板金部材７０とＧＮＤ接続される。
【００６１】
また、移動側板金部材７０は、図４（ａ）に示すように、中継基板８０側の端部に、中継基板８０方向に向って下方向に延びるバネ部７２を有している。なお、移動側板金部材７０は本体側板金部材４０の上方に位置しており、バネ部７２は、移動部３が収容位置に位置する状態で、本体側板金部材４０の端部からコネクト基板６０方向に向って延びる延出部４３の上面にバネ接触し、本体側板金部材４０の上面を押圧する状態となっている。また、延出部４３は、移動部３が送出位置に位置する場合にも、バネ部７２に押圧される長さに形成されている。
【００６２】
図４（ａ）に示すように、移動部３が収容位置に位置する場合、ＦＦＣ９１は、最も曲折された状態となり、コネクト基板６０は中継基板８０に最も接近した状態となっている。この状態において、バネ部７２が延出部４３を押圧することにより、移動側板金部材７０と本体側板金部材４０とがＧＮＤ接続される。
【００６３】
また、移動部３が本体部２に対して収容位置から送出位置に移動する場合、ＦＦＣ９１は、コネクト基板６０の移動に従動して、曲折された状態を戻す（延ばす）ように移動する、また、バネ部７２は、延出部４３を押圧しながら移動（摺動）する。
【００６４】
そして、図４（ｂ）に示すように、移動部３が送出位置に位置した場合、ＦＦＣ９１は、曲折された状態を最も延ばした状態となり、コネクト基板６０は中継基板８０から最も離間した状態となる。この状態においても、バネ部７２が延出部４３を押圧することにより、移動側板金部材７０と本体側板金部材４０とがＧＮＤ接続される。
【００６５】
なお、移動部３が本体部２に対して送出位置から収容位置に移動する場合、ＦＦＣ９１は、コネクト基板６０の移動に従動して、最も延ばした状態から曲折されながら移動する、また、バネ部７２は、延出部４３を押圧しながら移動（摺動）する。
【００６６】
このように、移動可能な移動部３が、収容位置と送出位置とにおいて、バネ部７２が延出部４３を押圧することにより、移動側板金部材７０と本体側板金部材４０とがＧＮＤ接続される。以上により、コネクト基板６０を移動側板金部材７０にＧＮＤ接続させることができると共に、移動部３が収容位置と送出位置とに位置する状態で、移動側板金部材７０を介して、コネクト基板６０を本体側板金部材４０にＧＮＤ接続させることができる。
【００６７】
上述した実施形態によれば、以下の効果が得られる。
本実施形態のＧＮＤ接続構造によれば、移動側筐体５０に、コネクト基板６０と、コネクト基板６０とＧＮＤ接続される移動側板金部材７０とを収容する。そして、コネクト基板６０は、移動側板金部材７０の腕部７１により、移動側板金部材７０とＧＮＤ接続させることができる。また、移動側板金部材７０はバネ部７２を有しており、バネ部７２が本体側板金部材４０にバネ接触することにより、移動側板金部材７０と本体側板金部材４０とが導通する。これにより、移動部３が送出位置に位置する状態で、移動側板金部材７０を介して、コネクト基板６０を本体側板金部材４０にＧＮＤ接続させることができる。従って、コネクト基板６０が送出位置に位置する状態において、ノイズの影響を低減させることができる。
【００６８】
本実施形態のＧＮＤ接続構造によれば、移動側板金部材７０と本体側板金部材４０とは、バネ部７２によるバネ接触によりＧＮＤ接続される。これにより、移動側板金部材７０が本体側板金部材４０に対して移動しても、確実にＧＮＤ接続させることができる。
【００６９】
本実施形態のＧＮＤ接続構造によれば、コネクト基板６０の電源ライン関連の部品等が実装される中継基板８０を備え、中継基板８０は、本体側筐体２０に収容され、本体側板金部材４０とＧＮＤ接続される。また、コネクト基板６０と中継基板８０とは、フレキシブルフラットケーブル９１で接続されるため、コネクト基板６０の信号線を中継基板８０と接続させることができ、また、コネクト基板６０を移動可能に接続させることができる。また、中継基板８０と本体基板３０とは、フレキシブルフラットケーブル９２で接続されると共に、フラットケーブル９３で接続されるため、信号線等はフレキシブルフラットケーブル９２で接続させ、電源ライン等はフラットケーブル９３で接続させることができる。従って、コネクト基板６０と本体基板３０とが電気的に接続される場合、中継基板８０を介すると共に、フレキシブルフラットケーブル９１，９２およびフラットケーブル９３により互いに接続されることにより、コネクト基板６０を移動可能に接続することができると共に、コネクト基板６０を小型化することができる。
【００７０】
本実施形態のプロジェクター１によれば、移動可能なコネクト基板６０のＧＮＤ接続を確実に行えるため、ノイズの影響を受けづらく、コネクト基板６０にコネクター６５を介してメディアプレーヤー１００を接続して使用した場合、音声や投写画像の品質を低下させることのないプロジェクター１を実現することができる。
【００７１】
なお、上述した実施形態に限定されず、その要旨を逸脱しない範囲において種々の変更や改良等を加えて実施することが可能である。変形例を以下に述べる。
【００７２】
前記実施形態のＧＮＤ接続構造において、移動側板金部材７０（コネクト基板６０）は、収容位置と送出位置、および移動中において、本体側板金部材４０とＧＮＤ接続されている。しかし、移動側板金部材７０（コネクト基板６０）は、少なくとも送出位置に位置した場合に、本体側板金部材４０とＧＮＤ接続される構造としてもよい。
【００７３】
前記実施形態のＧＮＤ接続構造において、送出位置は、本体部２に対して移動部３が最大に送出された位置としている。しかし、これには限られず、送出位置は、最大に送出される位置までの間で、複数の位置に設定されることでもよい。
【００７４】
前記実施形態では、プロジェクター１にＧＮＤ接続構造を備えた場合を説明したが、これには限られず、他の電子機器に備えることでもよい。
【００７５】
前記実施形態のＧＮＤ接続構造において、移動側板金部材７０と本体側板金部材４０とは、移動側板金部材７０に形成されたバネ部７２を用いてバネ接触によりＧＮＤ接続されている。しかし、本体側板金部材４０にバネ部を形成してバネ接触により移動側板金部材７０にＧＮＤ接続されていてもよい。
【００７６】
前記実施形態のＧＮＤ接続構造において、移動側板金部材７０と本体側板金部材４０とは、バネ部７２を用いたバネ接触によりＧＮＤ接続されている。しかし、これには限られず、平板状の導体を被覆したリボン状の線材（接続部材）等により、屈曲性を持たせて、移動側板金部材７０と本体側板金部材４０とに接続（半田付け、ネジによる挟持等）することでＧＮＤ接続されていてもよい。
【００７７】
前記実施形態の光学ユニット１８において、光変調装置として液晶ライトバルブ１８２を採用している。しかし、これに限られず、一般に、入射光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【００７８】
１…プロジェクター、２…本体部、３…移動部、１０…コネクト部、２０…第１筐体としての本体側筐体、３０…第１基板としての本体基板、４０…第１板金部材としての本体側板金部材、５０…第２筐体としての移動側筐体、６０…第２基板としてのコネクト基板、７０…第２板金部材としての移動側板金部材、７２…バネ部、８０…第３基板としての中継基板、９１，９２…フレキシブルフラットケーブル、９３…フラットケーブル、１００…メディアプレーヤー。
【図１】
2014022536.tif 000003
【図２】
2014022536.tif 000004
【図３】
2014022536.tif 000005
【図４】
2014022536.tif 000006